【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
所定量の温かい液体を吐出させるために加熱手段とポンプとを含む装置を動作させる方法であって、
前記加熱手段の上流で前記液体の温度を測定する工程と、
前記加熱手段が前記所定量の液体を前記上流温度から所望の最終温度まで加熱するのに必要なエネルギー量を算出する工程と、
前記算出されたエネルギー量を供給するために前記加熱手段の通電に必要な「オン」期間を算出する工程と、
前記算出された「オン」期間にわたって前記加熱手段に通電する工程と、
所定の初期温度以上の第１の量の加熱された液体を前記装置の吐出口から吐出させるために、前記算出された「オン」期間と少なくとも部分的に同時である第１の期間において前記ポンプを動作させる工程と、
前記加熱手段の通電を遮断する工程と、
前記第１の量と合わさって前記所定量になる第２の量の前記液体を前記装置の前記吐出口から吐出させ、それによって前記加熱手段から残留熱を除去するために、前記第１の期間の次の第２の期間にわたって前記ポンプを動作させる工程と、を含み、
前記第１および第２の量の液体の平均温度が、前記所定量が吐出された後に前記所望の最終温度となる、方法。
【請求項２】
前記加熱手段が、加熱中に液体が前記加熱手段に対して流入および流出することを許されるフローヒータを含む、請求項１に記載の方法。
【請求項３】
前記加熱手段が所定量の液体を前記上流温度から所望の最終温度まで加熱するのに必要なエネルギーを算出する工程が、前記加熱手段の温度または前記加熱手段の下流の温度を測定することを含む、先行する請求項のいずれかに記載の方法。
【請求項４】
前記ポンプが、一定の流量の前記液体を前記加熱手段を通して送るように構成された容積式ポンプである、請求項１に記載の方法。
【請求項５】
前記装置が、一定の流量の前記液体を前記加熱手段を通して送るために、前記ポンプの下流に流量調整器を含む、請求項４に記載の方法。
【請求項６】
加熱手段と所定量の温かい液体を吐出させるための手段とを含む装置を動作させる方法であって、
前記加熱手段の上流で前記液体の温度を測定する工程と、
前記加熱手段が前記所定量の液体を前記上流温度から所望の最終温度まで加熱するのに必要なエネルギー量を算出する工程と、
前記算出されたエネルギー量を供給するために前記加熱手段の通電に必要な「オン」期間を算出する工程と、
前記算出された「オン」期間にわたって前記加熱手段に通電する工程と、
第１の量の直接加熱された液体を、前記算出された「オン」期間と少なくとも部分的に同時である第１の算出された期間において、前記装置の吐出口から吐出させる工程と、
前記加熱手段の通電を遮断する工程と、
前記加熱手段から残留熱を除去することによって間接加熱された、前記第１の量と合わさって前記所定量になる第２の量の前記液体を、前記第１の期間の次の第２の算出された期間にわたって前記装置の前記吐出口から吐出させる工程と、を含み、
前記第１および第２の量の液体の平均温度が、前記所定量が吐出された後に前記所望の最終温度となる、方法。
【請求項７】
前記所望の最終温度が、２７℃〜４７℃、好ましくは、３２℃〜４２℃、さらに好ましくは、３７℃前後である、先行する請求項のいずれかに記載の方法。
【請求項８】
前記第２の期間が前記第１の期間よりも長い、先行する請求項のいずれかに記載の方法。
【請求項９】
液体の前記第２の量が液体の前記第１の量よりも多い、先行する請求項のいずれかに記載の方法。
【請求項１０】
液体の前記所定量が、ユーザによって選択される、先行する請求項のいずれかに記載の方法。
【請求項１１】
前記第１および第２の量の液体を吐出させるために前記ポンプを動作させる前記第１および第２の期間を算出することを含む、先行する請求項のいずれかに記載の方法。
【請求項１２】
商用電源電圧を測定する工程と、前記商用電源電圧を考慮するために前記加熱手段および／または前記ポンプの動作を調節する工程とをさらに含む、先行する請求項のいずれかに記載の方法。
【請求項１３】
所定量の温かい液体を吐出させるための装置であって、加熱手段と、ポンプと、前記加熱手段の上流で前記液体の温度を感知する温度センサと、制御手段とを含み、該制御手段は、
前記温度センサから上流温度データを受信し、
前記加熱手段が所定量の前記液体を前記上流温度から所望の最終温度まで加熱するのに必要なエネルギー量を算出し、
前記算出されたエネルギー量を供給するために前記加熱手段の通電に必要な「オン」期間を算出し、
前記算出された「オン」期間にわたって前記加熱手段に通電し、
所定の初期温度以上の第１の量の加熱された液体を前記装置の吐出口から吐出させるために、前記算出された「オン」期間と少なくとも部分的に同時である第１の期間において前記ポンプを動作させ、
前記加熱手段の通電を遮断し、
前記第１の量と合わさって前記所定量になる第２の量の前記液体を前記装置の前記吐出口から吐出させ、それによって前記加熱手段から残留熱を除去するために、前記第１の期間の次の第２の期間にわたって前記ポンプを動作させる、ように構成され、
前記第１および第２の量の液体の平均温度が、前記所定量の吐出後に前記所望の最終温度となる、装置。
【請求項１４】
前記加熱手段が、加熱中に液体が前記加熱手段に対して流入および流出することを許されるフローヒータを含む、請求項１３に記載の装置。
【請求項１５】
前記加熱手段に液体を供給するための貯槽を含み、選択的に、前記貯槽と前記ポンプとの間の中間保持室を含み、前記温度センサが、前記貯槽内または前記中間保持室内に位置する、請求項１３または１４に記載の装置。
【請求項１６】
一定の流量の前記液体を前記加熱手段を通して送るための手段を含む、請求項１３から１５のいずれかに記載の装置。
【請求項１７】
前記一定の流量を送るための手段が、前記ポンプの下流かつ前記加熱手段の上流に位置する流量調整器を含む、請求項１６に記載の装置。
【請求項１８】
前記一定の流量を送るための手段が、容積式ポンプを含む、請求項１６に記載の装置。
【請求項１９】
所定量の温かい液体を吐出させるための装置であって、加熱手段と、液体を吐出させるための手段と、前記加熱手段の上流で前記液体の温度を感知する温度センサと、制御手段とを含み、該制御手段は、
前記温度センサから上流温度データを受信し、
前記加熱手段が所定量の前記液体を前記上流温度から所望の最終温度まで加熱するのに必要なエネルギー量を算出し、
前記算出されたエネルギー量を供給するために前記加熱手段の通電に必要な「オン」期間を算出し、
前記算出された「オン」期間にわたって前記加熱手段に通電し、
第１の量の直接加熱された液体を前記装置の吐出口から吐出させるために、前記算出された「オン」期間と少なくとも部分的に同時である第１の期間を算出し、
前記加熱手段の通電を遮断し、
前記加熱手段から残留熱を除去することによって間接加熱された、前記第１の量と合わさって前記所定量になる第２の量の前記液体を前記装置の前記吐出口から吐出させるため
に、前記第１の期間の次の第２の期間を算出する、ように構成され、
前記第１および第２の量の液体の平均温度が、前記所定量が吐出された後に前記所望の最終温度となる、装置。
【請求項２０】
前記所望の最終温度が、２７℃〜４７℃、好ましくは、３２℃〜４２℃、さらに好ましくは、３７℃前後である、請求項１３から１９のいずれかに記載の装置。
【請求項２１】
液体の前記所定量をユーザに選択させるために入力手段を含む、請求項１３から２０のいずれかに記載の装置。
【請求項２２】
前記制御手段が、商用電源電圧を測定し、前記商用電源電圧を考慮するために前記加熱手段および／または前記ポンプの動作を調節するように構成された、請求項１３から２１のいずれかに記載の装置。
【請求項２３】
一定の流量の前記液体を前記加熱手段を通して送るための手段を含む、請求項１９から２２のいずれかに記載の装置。
【請求項２４】
前記一定の流量を送るための手段が、容積式ポンプを含む、請求項２３に記載の装置。